(57)【特許請求の範囲】
【請求項１】
眼鏡レンズの周縁を加工する際に使用される加工治具の眼鏡レンズ固定用カップを眼鏡レンズの表面に取り付け、加工済みレンズから前記カップを取り外す眼鏡レンズ固定用カップの取り付け／取り外し方法において、
レンズと前記カップとを固定するためにテープ基材の両面に粘着剤が塗布されている両面粘着テープであって、少なくともレンズ前面側の粘着剤が紫外線の照射により粘着力が低下する紫外線硬化型粘着剤からなる両面粘着テープを、前記カップの固定面に貼り付ける両面粘着テープ貼付け工程と、
前記両面粘着テープが貼り付けられた前記カップをレンズ表面に所期する位置関係に取り付けるカップ取付け工程と、
加工済みレンズに固定された前記カップとの間に介在された前記両面粘着テープの紫外線硬化型粘着剤に紫外線を照射する紫外線照射工程と、
紫外線の照射により粘着力が低下した前記両面粘着テープ及び前記カップを取り外す工程と、
を備えることを特徴とする眼鏡レンズ固定用カップの取り付け／取り外し方法。
【請求項２】
請求項１の眼鏡レンズ固定用カップの取り付け／取り外し方法において、前記紫外線照射工程は、レンズの裏面側からレンズを透過させて紫外線を前記紫外線硬化型粘着剤に照射するか又はレンズ表面側から前記カップ及びテープ基材を透過させて紫外線を前記紫外線硬化型粘着剤に照射する工程であることを特徴とする眼鏡レンズ固定用カップの取り付け／取り外し方法。
【請求項３】
眼鏡レンズの周縁を加工する際に使用される加工治具の眼鏡レンズ固定用カップと眼鏡レンズとの間に介在させ、レンズの表面に前記カップを固定するための眼鏡レンズ固定用の両面粘着テープは、
前記カップの固定面の形状に略一致する形状のテープ基材と、該テープ基材の両面に塗布された粘着剤であって、少なくともレンズ前面側の粘着剤が紫外線の照射により粘着力が低下する紫外線硬化型粘着剤と、を有することを特徴とする眼鏡レンズ固定用の両面粘着テープ。
【請求項４】
請求項３の眼鏡レンズ固定用の両面粘着テープにおいて、前記テープ基材は紫外線を透過する材質からなることを特徴とする眼鏡レンズ固定用の両面粘着テープ。
【請求項５】
請求項３の眼鏡レンズ固定用の両面粘着テープにおいて、同一形状の両面粘着テープが台紙シートに多数並べて配置され、それぞれの上面には剥離紙が添付されていることを特徴とする眼鏡レンズ固定用の両面粘着テープ。
【発明の詳細な説明】
【技術分野】
【０００１】
本発明は、レンズ周縁を加工する際に使用される加工治具の眼鏡レンズ固定用カップを眼鏡レンズの表面に取り付け、加工済みレンズからカップを取り外す眼鏡レンズ固定用カップの取り付け／取り外し方法、眼鏡レンズ固定用カップと眼鏡レンズとを固定するための両面粘着テープに関する。
【背景技術】
【０００２】
眼鏡レンズ周縁加工装置においては、２つのレンズチャック軸に眼鏡レンズを挟持させ、レンズチャック軸を回転しながら眼鏡レンズの周縁を砥石等の加工具により加工する。眼鏡レンズをレンズチャック軸に挟持させる際には、両面粘着テープを介してレンズ表面に加工治具のカップを固定し、カップの基部を一方のレンズチャック軸が持つカップホルダに装着し、もう片方のレンズチャック軸のレンズ押さえで眼鏡レンズをチャッキングする（例えば、特許文献１参照）。
【０００３】
カップとレンズとの間に介在される両面粘着テープは、レンズの周縁加工時にレンズをレンズチャック軸との間に軸ずれが発生しないように粘着力の強いものが使用されている。このため、レンズ周縁加工の終了後にカップをレンズから取り外す作業においては、取り外しの力を加えるための取り外し治具が使用されていた（例えば、特許文献２参照）。
【特許文献１】特開１０−２４９６９２号公報
【特許文献２】特開平１−２２８７６５号公報
【発明の開示】
【発明が解決しようとする課題】
【０００４】
しかし、カップの取り外し作業においては、取り外し治具を使用したとしても、両面粘着テープの粘着力以上に強い力を加えなければならず、作業者はレンズに損傷を与えないように細心の注意を払って作業を行う必要があり、作業者の負担となっていた。
【０００５】
本発明は、強い力を加えずに、加工済みレンズからカップを容易に取外すことが可能な眼鏡レンズ固定用カップの取り付け／取り外し方法、両面粘着テープ、並びに眼鏡レンズ固定用カップを提供することを技術課題とする。
【課題を解決するための手段】
【０００６】
上記課題を解決するために、本発明は以下のような構成を備えることを特徴とする。
【０００７】
（１）  眼鏡レンズの周縁を加工する際に使用される加工治具の眼鏡レンズ固定用カップを眼鏡レンズの表面に取り付け、加工済みレンズから前記カップを取り外す眼鏡レンズ固定用カップの取り付け／取り外し方法において、
レンズと前記カップとを固定するためにテープ基材の両面に粘着剤が塗布されている両面粘着テープであって、少なくともレンズ前面側の粘着剤が紫外線の照射により粘着力が低下する紫外線硬化型粘着剤からなる両面粘着テープを、前記カップの固定面に貼り付ける両面粘着テープ貼付け工程と、
前記両面粘着テープが貼り付けられた前記カップをレンズ表面に所期する位置関係に取り付けるカップ取付け工程と、
加工済みレンズに固定された前記カップとの間に介在された前記両面粘着テープの紫外線硬化型粘着剤に紫外線を照射する紫外線照射工程と、
紫外線の照射により粘着力が低下した前記両面粘着テープ及び前記カップを取り外す工程と、
を備えることを特徴とする。
（２）  （１）の眼鏡レンズ固定用カップの取り付け／取り外し方法において、前記紫外線照射工程は、レンズの裏面側からレンズを透過させて紫外線を前記紫外線硬化型粘着剤に照射するか又はレンズ表面側から前記カップ及びテープ基材を透過させて紫外線を前記紫外線硬化型粘着剤に照射する工程であることを特徴とする。
（３）  眼鏡レンズの周縁を加工する際に使用される加工治具の眼鏡レンズ固定用カップと眼鏡レンズとの間に介在させ、レンズの表面に前記カップを固定するための眼鏡レンズ固定用の両面粘着テープは、
前記カップの固定面の形状に略一致する形状のテープ基材と、該テープ基材の両面に塗布された粘着剤であって、少なくともレンズ前面側の粘着剤が紫外線の照射により粘着力が低下する紫外線硬化型粘着剤と、を有することを特徴とする。
（４）  （３）の眼鏡レンズ固定用の両面粘着テープにおいて、前記テープ基材は紫外線を透過する材質からなることを特徴とする。
（５）  （３）の眼鏡レンズ固定用の両面粘着テープにおいて、同一形状の両面粘着テープが台紙シートに多数並べて配置され、それぞれの上面には剥離紙が添付されていることを特徴とする。
【発明の効果】
【０００８】
本発明によれば、強い力を加えることなく、レンズ加工終了後にカップをレンズから容易に取り外すことができる。このため、レンズの損傷をより低減し、作業者の負担の軽減を図ることができる。また、カップの取り外し時に、レンズに損傷を与えないよう注意する必要性が軽減されるため、作業性が向上する。さらに、カップの取り外し作業の自動化も容易に実現できる。
【発明を実施するための最良の形態】
【０００９】
以下、本発明の実施の形態を図面に基づいて説明する。図１は本発明に係る眼鏡レンズ固定用カップの外観図であり、図２は眼鏡レンズ周縁加工装置が持つレンズチャック軸へのレンズの保持を説明する図である。
【００１０】
図１、図２において、眼鏡レンズ固定用カップ１０は、眼鏡レンズ周縁加工装置が持つレンズチャック軸１０２Ｌに備えられたカップホルダ１３０の挿入穴１３１ａに挿入される基部１０ａと、小判形状の鍔部１１を持つ。基部１０ａにはキー溝１０ｂが形成されている。このキー溝１０ｂをカップホルダ１３０の挿入穴１３１ａに形成されたキー１３１ｂに嵌め合わせることによって、レンズＬＥの乱視角度とレンズチャック軸１０２Ｌ，１０２Ｒの回転角度とが一定の関係にされつつ、レンズＬＥが保持される。また、基部１０ａには、レンズの上下位置を決めるための切り欠き１０ｃが形成されている。さらに、基部１０ａの中央には、ほぼ鍔部１１の厚み分までの深さを持つ穴１０ｄが形成されている。
【００１１】
鍔部１１には、カップホルダ１３０に位置合わせして回転ずれを軽減するための凹凸部１１ａが基部１０ａの周りに形成されている。カップホルダ１３０の端部にも、凹凸部１１ａが嵌合される凹凸部が形成されている。レンズＬＥに固定されたカップ１０の基部１０ａをカップホルダ１３０に装着した後、レンズチャック軸１０２Ｒをレンズ側に移動させることにより、レンズ部材がレンズ後面に当接し、レンズＬＥが２つのレンズチャック軸１０２Ｌ，１０２Ｒにより保持される。
【００１２】
ここで、カップ１０は、紫外線（例えば、中心波長３６５ｎｍ）を透過する透明なアクリル等の樹脂からなる材質で形成されている。カップ１０の紫外線の透過率は、できるだけ高い方が紫外線の照射のエネルギが少なくてすむので効率的であり、例えば、５０％以上の高透過を持つ材質で形成されていることが好ましい。さらに好ましくは、８０％以上の透過率である。なお、カップ１０の材質の色は透明色以外にも紫外線を透過しやすい色であれば良い。また、カップ１０の鍔部１１はレンズ前面のカーブに沿って変形可能な材質であることが好ましい。
【００１３】
図３は、カップ１０をレンズＬＥの表面に固定する際に、カップ１０とレンズＬＥとの間に介在させる両面粘着テープ２０の斜視図である。図４は、両面粘着テープ２０の構造と、レンズＬＥへのカップ１０の固定を説明する図である。
【００１４】
両面粘着テープ２０のテープ基材２１の外径形状は、一端にタブ２１ａを有し、カップ１０の固定面（鍔部１１の底面）の外径形状と略一致する形状に形成されている。なお、前記カップの固定面の形状に略一致するテープ基材２１の形状には、前記カップの固定面より多少大きく、また、小判形状の長手方向が多角形状になっている場合も含まれる。タブ２１ａは、レンズＬＥから両面粘着テープ２０を剥がす際に作業者が手で摘むために設けられ、テープ基材２１と一体的に形成されている。
【００１５】
テープ基材２１は、紫外線（例えば、中心波長３６５ｎｍ）を高透過する透明又は半透明のポリオレフィン系材質等から構成されている。テープ基材２１の厚みｔは０．４〜０．８ｍｍ程が好ましい。テープ基材２１はレンズの前面に貼り付けられたときに、レンズ前面のカーブに沿って変形可能とされている。テープ基材２１の両面（レンズＬＥ側面及びカップ側面）には、紫外線（例えば、中心波長３６５ｎｍ）の照射により粘着力が高粘着力から低粘着力に変化する紫外線硬化型粘着剤２２が塗布されている。この紫外線硬化型粘着剤は、半導体製造のダイシング時（個々のチップの切断時）に使用されている紫外線硬化型テープ（ＵＶテープ）に使用されているものを使用できる。紫外線硬化型テープは、住友ベークライト株式会社、古河電気工業株式会社、等の各社から提供されている。紫外線硬化型粘着剤２２としては、例えば、住友ベークライト株式会社からＵＶフルカットダイシングテープとして提供されている「スミライト（登録商標）ＦＳＬ−Ｎ４０００シリーズ」のパッケージ用ダイシングテープに使用されている粘着剤を使用できる。或いは、古河電気工業株式会社から半導体用テープとして提供されているダイシング用ＵＶテープ「ＦＣシリーズ」に使用されているものから選択できる。
【００１６】
ここで、紫外線硬化型粘着剤２２の眼鏡レンズ（プラスチックレンズ、ガラスレンズ）に対する粘着力は、紫外線照射前においては、カップ１０が固定されたレンズＬＥの周縁加工時に軸ずれが発生しない程度とされている。このときの粘着力としては、例えば、４２５ｇ／２５ｍｍ以上（１７０Ｎ／ｍ以上）であることが好ましい。一方、紫外線照射後の紫外線硬化型粘着剤２２の粘着力は、レンズＬＥの表面から作業者の手によって簡単に剥がすことができる程度まで低下される。このときの粘着力としては、例えば、５０ｇ／２５ｍｍ以下であることが好ましい。
【００１７】
なお、レンズＬＥからカップ１０を取り外す上では、テープ基材２１の両面の内、少なくともレンズＬＥ側に位置する面に紫外線硬化型粘着剤２２が適用されていれば良く、カップ１０の固定面側については、従来と同じ粘着剤が塗布されていてもよい。しかし、レンズ周縁加工後にカップ１０を繰り返し使用するために、カップ１０の固定面側についても紫外線硬化型粘着剤２２を適用すれば、カップ１０から両面粘着テープ２０を手によって簡単に取り外すことができるので、都合がよい。
【００１８】
図３において、両面粘着テープ２０の中央には、直径６ｍｍ程の開口２３が形成されている。この開口２３は、レンズＬＥの光学中心を中心にして両面粘着テープ２０を介してカップ１０が固定されたときに、レンズＬＥの光学中心に付されている印点マークをレンズＬＥの裏から確認可能にするために形成されている。なお、タブ２１ａの部分の両面には、タブ２１ａと同一形状のポリエステル等のフィルム２１ｂが貼り付けられている。作業者は、このタブ２１ａを指で摘むことにより、両面粘着テープ２０をレンズＬＥ又はカップ１０の固定面（鍔部１１）から容易に取り外すことができる。
【００１９】
両面粘着テープ２０を眼鏡店等の使用者に提供するに際しては、図５に示すように、透明ポリエステルライナー等からなる台紙シート３０に多数の両面粘着テープ２０が並べて貼り付けられ、両面粘着テープ２０の上面には容易に剥離可能な剥離紙３１が個々に添付されている。なお、剥離紙３１はフィルム２１ｂが貼り付けられたタブ２１ａの上まで添付されている。
【００２０】
次に、眼鏡レンズ周縁加工装置により加工されたレンズＬＥからカップ１０を取り外すときに、紫外線を照射する紫外線照射器の好適な例を説明する。図６は紫外線照射器の概略構成図であり、図６（ａ）は紫外線照射器の外観斜視図、図６（ｂ）は紫外線照射器の部分断面図、図６（ｃ）は紫外線照射器の電気ブロック図である。
【００２１】
図６において、紫外線照射器４０は、作業者が手で保持可能な筐体４１を備える手持ちタイプの構成とされている。筐体４１の内部には紫外線（例えば、中心波長波長３６５ｎｍ）を発するＬＥＤ等の光源４４が組み込まれている。両面粘着テープ２０に向けての紫外線照射に際して、眼鏡レンズには紫外線カットのコーティングが施されているものがある。この場合、紫外線がレンズＬＥを透過しなため、両面粘着テープ２０の紫外線硬化型粘着剤２２に紫外線を至らせることができない。そこで、紫外線照射器４０による紫外線の照射は、カップ１０側から行われるようにされている。
【００２２】
紫外線照射器４０の先端側の中央には、カップ１０の基部１０ａが嵌合される形状の穴４２が形成されている。穴４２の深さは、カップ１０の基部１０ａの後端１０ｅが当接される距離とされている。紫外線を発する光源４４は、紫外線がカップ１０を通過し、両面粘着テープ２０の接着面の全体に効率良く行き渡るように、穴４２の中心に配置されている。この光源４４は、カップ１０が持つ基部１０ａの穴１０ｄに入る位置とされ、基部１０ａに接触しない範囲に置かれている。また、穴４２の内部には、基部１０ａに穴４２を挿入したときに基部１０ａの後端１０ｅが当接する位置に接触式のスイッチ４６が配置されている。
【００２３】
なお、穴４２に配置された光源４４のみでは、鍔部１１に貼り付けられた両面粘着テープ２０の全体に紫外線が照射されない場合には、鍔部１１の上に位置するように複数の光源４４を配置すればよい。
【００２４】
また、紫外線照射器４０が持つ筐体４１の先端側のカバーは、カップ１０の鍔部１１の外径よりも大きく形成されている。紫外線照射時には、照射器４０側の穴４２をカップ１０の基部１０ａに嵌合させることにより、穴４２に配置された光源４４がカップ１０のほぼ中央に位置するようになり、カップ１０を透過した紫外線が両面粘着テープ２０の接着面の全体に行き渡りやすくなる。また、穴４２をカップ１０の基部１０ａに嵌合させることにより、筐体４１の先端側のカバーがカップ１０の全体を覆うようになるため、カップ１０を透過して漏れる紫外線が遮断され、作業者の目に紫外線が直接入ることを防止できる。なお、カップ１０の鍔部１１の側面を摺り面または紫外線を透過しない色付きの樹脂とすることで、鍔部１１の側面から漏れる紫外線をより軽減できる。
【００２５】
また、筐体４１の側面には、光源４４が点灯されていることを作業者に知らせるための表示器（ＬＥＤ等のランプ）４７が配置されている。また、紫外線照射器４０は、光源４４及び表示器４７に電力を供給するバッテリー４８と、スイッチ４６及びバッテリー４８と接続されたタイマー４９と、を備える。
【００２６】
なお、上記では紫外線照射器４０が持つ筐体４１の先端側がカップ１０の鍔部１１の外径よりも大きく形成されている例で説明したが、紫外線照射器４０の携帯性をさらに良好とするために、カップ１０の基部１０ａを嵌合させる穴４２を持ち、筐体４１の外径をカップ１０側の凹凸部１１ａまでぐらいの細い径で形成した構造としてもよい。この場合、筐体４１より外側に位置する鍔部１１の上から紫外線が漏れることを防止するために、鍔部１１の上面（及び側面）に紫外線を遮断する樹脂又は塗料を塗布した構造にしておくことが好ましい。
【００２７】
次に、未加工のレンズＬＥにカップ１０を取り付ける動作を説明する。まず、作業者は、台紙シート３０に貼られた両面粘着テープ２０を剥がし、その剥がした面がカップ１０の固定面に一致するように両面粘着テープ２０を貼り付ける。次に、両面粘着テープ２０に添付された剥離紙３１を剥がした上で、特開２００２−２８３２０２号公報、特開２０００−７９５４５号公報等に記載された周知の軸打ち器（カップ取付け装置）を使用してカップ１０をレンズＬＥの表面に所期する位置関係に取り付ける。例えば、特開２０００−７９５４５号公報に記載されたカップ取り付け装置の使用においては、図７に示すように、装置７０が持つアーム７２の先端にカップ１０の基部１０ａを装着した後、所定位置に置かれたレンズＬＥの光学中心等を装置の軸線Ｌ１に位置合わせする。その後、カップ１０の中心が軸線Ｌ１上に位置するようにアーム７２を回転させた後、アーク７２を下降させる。これにより、両面粘着テープ２０が貼り付けられたカップ１０がレンズＬＥの表面に固定される。なお、レンズＬＥの位置合わせ及びカップ１０の取り付け動作は、特開２０００−７９５４５号公報の記載を遠用する。カップ１０が固定されたレンズＬＥはレンズ周縁加工装置に取り付けられ、眼鏡フレームに合うように加工される。
【００２８】
次に、図６の紫外線照射器４０を使用して加工済みレンズＬＥからカップ１０を取り外す動作を説明する。図６（ｂ）に示されるように、レンズＬＥに固定されているカップ１０側を上に向け、適当なトレイ６０の上に加工済みレンズＬＥを載置しておく。作業者は、紫外線照射器４０を手で保持し、紫外線照射器４０の先端側に形成された穴４２をカップ１０に基部１０ａに挿入する。これにより、穴４２の中央に配置された光源４４がカップ１０の中心に位置されるようになり、両面粘着テープ２０の紫外線硬化型粘着剤２２に向けて効率良く紫外線が照射できる。穴４２をカップ１０に基部１０ａに挿入すると、基部１０ａの後端１０ｅにスイッチ４６が当接し、スイッチ４６がＯＮ状態となる。これにより、光源４４及び表示器４７にバッテリー４８から電力が供給され、光源４４及び表示器４７が点灯される。このとき、筐体４１の先端側のカバーがカップ１０の上部を覆うよう配置されているため、紫外線が作業者の目に直接入ることが軽減されている。
【００２９】
スイッチ４６がＯＮされるとタイマー４９が作動し、時間計測が開始される。光源４４からの紫外線はカップ１０の上から照射され、カップ１０を透過した紫外線はさらに両面粘着テープ２０のテープ基材２１を透過し、レンズＬＥ側に塗布された紫外線硬化型粘着剤２２に照射される。カップ１０の鍔部１１側の面にも紫外線硬化型粘着剤２２が塗布されている場合は、これにも紫外線が照射される。タイマー４９の時間計測により一定時間が経過すると、バッテリー４８からの電力が切断され、光源４４が消灯される。同時に、表示器４７も消灯され、作業者は紫外線の照射が完了したことを知ることができる。なお、タイマー４９の作動により光源４４が点灯される一定時間は、紫外線の照射により紫外線硬化型粘着剤２２の粘着力が十分に低下する（両面粘着テープ２０をレンズ表面から作業者が手で容易に剥がすことができる）までの時間として、実験により予め設定されている。
【００３０】
作業者は、表示器４７が消灯されたことを確認後、紫外線照射器４０をレンズＬＥから離脱させる。このとき、紫外線硬化型粘着剤２２の粘着力が低下されていることにより、強い力を加えることなく、レンズＬＥからカップ１０を簡単に取り外すことができる。レンズＬＥ側に両面粘着テープ２０が残っている場合でも、タブ２１ａを指で摘んで両面粘着テープ２０を簡単に剥離することができる。
【００３１】
上記の紫外線照射器４０は、レンズＬＥに紫外線カットのコーティングが施されている場合に好適な例であるが、紫外線カットのコーティングが施されていないレンズＬＥに対しては、レンズＬＥの裏面側からレンズＬＥを透過させて紫外線を紫外線硬化型粘着剤２２に照射することも可能である。この場合の紫外線照射器４０の構成としては、カップ１０の基部１０ａに嵌合される穴４２は無くも良い。代わりに、レンズ後面に当接させるリング状のゴム等の当接部材が、紫外線照射器４０の先端側に装着された構成とする。また、紫外線の光源４４を手動で点灯させるスイッチが設けられた構成とする。また、この場合には、カップ１０及びテープ基材２１は紫外線を透過する材質でなくても使用可能である。
【００３２】
さらにまた、紫外線照射器としては、図８のように、箱型タイプのものであってもよい。紫外線照射器５０が持つ箱型の筐体５１の内部は、カップ１０が固定されたレンズＬＥが入る空間を有する。筐体５１の内部には、紫外線を発する光源５３が配置されている。レンズＬＥを筐体５１の内部に入れた後、筐体５１の前面の蓋５４を閉じることにより、紫外線照射時に紫外線が外部に漏れることが防止される。この箱型タイプの紫外線照射器５０においては、複数のレンズＬＥを内部に設置可能に構成しておくことにより、同時に複数のカップ１０に紫外線を照射できる。例えば、光源５３が筐体５１の内部の天上に位置している場合は、レンズＬＥを下側にし、カップ１０を上側に載置して、レンズ表面側からカップ１０及びテープ基材２１を透過させて紫外線を紫外線硬化型粘着剤２２に照射する。紫外線カットのコーティングが施されていないレンズＬＥに対しては、レンズＬＥの裏面側を光源５３に向けて置き、レンズＬＥの裏面側からレンズＬＥを透過させて紫外線を紫外線硬化型粘着剤２２に照射する。
【００３３】
図８のような紫外線照射器５０では、その形状が大型化し、設置スペースを大きく必要とし、さらにその移動も容易でないため、眼鏡店で使用する上では図６にように手持ちタイプの紫外線照射器４０の方が好ましい。また、紫外線照射器４０の方が経済的にも有利である。
【００３４】
眼鏡店においては、図６又は図８の紫外線照射器を使用することにより、作業者が簡単にカップ１０を取り外すことができる。また、多数の眼鏡レンズの周縁加工を集中的に行う加工センターにおいては、上記のカップの取り外し方法を適用することにより、作業者が注意して行っていたカップの取り外し作業の自動化を容易に実現できる。例えば、カップ１０が取り付けられた加工済みレンズＬＥを、図６又は図８のような紫外線照射器にロボットが搬送した後、カップ１０側から紫外線を照射する。その後、レンズＬＥの裏面側を吸着器等で保持しつつ、ロボットハンドにてカップ１０の基部１０ａを挟持して取り外す。このとき、紫外線硬化型粘着剤２２の粘着力が低下されていることにより、カップ１０の取り外し時に大きな力を加えなくて済み、また、レンズＬＥの保持力を強固にする必要が無いため、レンズＬＥに損傷を与えずにカップ１０を取り外すことができる。カップ１０の取り外しの自動化が可能になることにより、加工センターにおいては、より一層の生産性の向上を図ることができる。
【図面の簡単な説明】
【００３５】
【図１】眼鏡レンズ固定用カップの外観図である。
【図２】レンズチャック軸へのレンズの保持を説明する図である。
【図３】両面粘着テープの斜視図である。
【図４】両面粘着テープの構造とレンズへのカップの取付を説明する図である。
【図５】両面粘着テープを眼鏡店等に提供する場合について説明する図である。
【図６】紫外線照射器の概略構成図である。
【図７】カップ取り付け装置によりレンズにカップを取り付ける場合の説明図である。
【図８】箱型タイプの紫外線照射器について説明する図である。
【符号の説明】
【００３６】
１０  眼鏡レンズ固定用カップ
２０  両面粘着テープ
２２  紫外線硬化型粘着剤
４０  紫外線照射器
４４  光源
４６  スイッチ
５０  紫外線照射器
７０  カップ取り付け装置
【図１】
0004879876.tif 000002
【図２】
0004879876.tif 000003
【図３】
0004879876.tif 000004
【図４】
0004879876.tif 000005
【図５】
0004879876.tif 000006
【図６】
0004879876.tif 000007
【図７】
0004879876.tif 000008
【図８】
0004879876.tif 000009